(57)【要約】【課題】  解決しようとする課題は、第二世代の無線通信機から第三世代の無線通信機へ置き換えた場合に、無線通信機が接続される外部機器のソフトウエアを修正することなく、第三世代の無線通信機で的確に回線交換方式とパケット交換方式を判断して接続できる無線通信機を提供することにある。【解決手段】  外部機器に接続してデータ通信を行う無線通信機であって、接続先名とダイヤル番号を対応付けたテーブルを有し、外部機器からダイヤル番号を受け取った場合には、テーブルに該当するダイヤル番号が有るか否かを判断し、該当するダイヤル番号がテーブルに有る場合には、ダイヤル番号に対応する接続先名に対して発信することで実現した。【選択図】図１
2006222491.tif 000002
【特許請求の範囲】
【請求項１】
外部機器に接続してデータ通信を行う無線通信機であって、接続先名とダイヤル番号を対応付けたテーブルを有し、前記外部機器からダイヤル番号を受け取った場合には、前記テーブルに前記ダイヤル番号が有るか否かを判断し、前記ダイヤル番号が前記テーブルに有る場合には、前記ダイヤル番号に対応する接続先名に対して発信することを特徴とする無線通信機。
【請求項２】
外部機器に接続され、無線基地局を介して接続先と外部機器のデータ通信を行う無線通信機であって、接続先名とダイヤル番号を対応付けたテーブルを有し、前記接続先から接続先名を受け取った場合には、前記テーブルに前記接続先名が有るか否かを判断し、前記接続先名が前記テーブルに有る場合には、前記接続先名に対応するダイヤル番号で着信したことを前記外部機器に通知することを特徴とする無線通信機。
【発明の詳細な説明】
【技術分野】
【０００１】
本発明は、無線通信機のパケット発信及びパケット着信に関するものである。
【背景技術】
【０００２】
無線通信機として、例えば携帯電話では、技術的な進歩や使用者のニーズに応じて時代と共に異なるシステムへの移行が生じている。携帯電話が普及しだした当初は、第一世代携帯電話（１Ｇ）と称され、ＮＴＴ方式、ＴＡＣＳ方式、ＡＭＰＳ方式等の規格に準拠したアナログ方式の携帯電話であった。
しかしながら、携帯電話の普及による加入者数の増加に伴って、チャネル数の確保等により、第二世代携帯電話（２Ｇ）と称されるシステムが普及した。第二世代携帯電話は、ＰＤＣ（Ｐｅｒｓｏｎａｌ  Ｄｉｇｉｔａｌ  Ｃｅｌｌｕｌａｒ）やＣｄｍａＯｎｅ等の規格に準拠したシステムであり、第一世代携帯電話機がアナログ方式の携帯電話であったのに対して、第二世代携帯電話はデジタル方式の携帯電話となった。第二世代携帯電話でデジタル方式となったことに伴い、そのデジタルでの通信を利用して、音声通話だけではなく、様々なデータ通信に用いられるようになった。
更に、最近になっては、より一層のデータ通信量を使用者が望んでおり、インターネットやマルチメディアを目的として、高速でしかも多くのデータ通信を行えるシステムが使用者のニーズとなっている。これに対応する為、高速データ通信と共にグローバル化を目的とした世界共通規格をも考慮した第三世代携帯電話（３Ｇ）と称されるシステムが開発された。第三世代携帯電話は、Ｗ−ＣＤＭＡやＣｄｍａ２０００と称される規格に代表される。この第三世代携帯電話機を普及させることに伴い、第二世代携帯電話機から第三世代携帯電話機への移行が進められており、従来使用していた携帯電話などの無線通信機も第二世代から第三世代へ移行する必要がある。
【０００３】
ここで、無線通信機の通信の形態について説明する。無線通信機の通信の形態としては、回線交換方式とパケット交換方式がある。回線交換方式は、通信路を確立してから通信を行う形態であり、主に音声の通信に用いられる。また、パケット交換方式は、データをパケットに分割して宛先を付加して送受信する方法である。
【０００４】
第二世代のパケット交換方式での発信は、ダイヤル番号、例えば“０１２３−４５−６７８９”といった番号で行われており、外部機器に接続してデータ通信を行う無線通信機を制御する外部機器もダイヤル番号を送出して発信を行っていた。例えば、前述“０１２３−４５−６７８９”に発信する場合は、ＡＴコマンドによる発信（ＡＴＤ）をする為に“ＡＴＤ０１２３４５６７８９”という文字列を外部機器が送出し、それを無線通信機が受け付けることで、“０１２３−４５−６７８９”の接続先とパケット交換方式での接続を行っていた。
また、第二世代のパケット交換方式での着信では、設定によって（本機能はＡＴコマンドＡＴＵで設定する）着信があると“ＣＡＬＬＩＮＧ−ＩＤ＝０１２３４５６７８９”といった形で接続先のダイヤル番号（発ID）を出力する機能をもっており、このダイヤル番号を外部機器がセキュリティで使用するケースもあった。例として“ＣＡＬＬＩＮＧ−ＩＤ”で通知される発ＩＤ（ここでは“０１２３４５６７８９”が該当）と予め外部機器で保存している発ＩＤが一致した時のみ着信を許可するといった機能が該当する。
【０００５】
上記の第二世代に対して第三世代では、ＡＰＮ［Ａｃｃｅｓｓ  Ｐｏｉｎｔ  Ｎａｍｅ／接続先名］を登録したｃｉｄ［ｃｏｎｔｅｘｔ  ｉｄｅｎｔｉｆｉｅｒ／接続先番号］で発信する必要がある。これは３ＧＰＰ（３ｒｄ  Ｇｅｎｅｒａｔｉｏｎ  Ｐａｒｔｎｅｒｓｈｉｐ  Ｐｒｏｊｅｃｔ）の規格であるＴＳ２７．００７に記載されており、第二世代のダイヤル番号で発信をした場合は回線交換による発信と見なされてしまう。すなわち、第二世代の無線通信機を接続して使用していた外部機器に第三世代の無線通信機を接続した場合、第二世代の無線通信機が接続されていた場合のようにパケット交換接続を行うためには外部機器の発信に関する処理を第三世代の無線通信機にあわせて修正を行う必要が発生する。
また、前述、第二世代で示したような着信時の“ＣＡＬＬＩＮＧ−ＩＤ”をセキュリティなどの理由で外部機器が使用していた場合、やはり外部機器の着信に関する処理を第三世代の無線通信機にあわせて修正する必要がある。
しかしながら、既に製品として運用している第二世代の無線通信機の発着信処理にあわせた外部機器を第三世代の無線通信機の発着信処理にあわせることは容易な作業ではないという問題があり、これを如何に対策がシステム移行への課題となっていた。
【発明の開示】
【発明が解決しようとする課題】
【０００６】
解決しようとする課題は、第二世代の無線通信機から第三世代の無線通信機へ置き換えた場合に、無線通信機が接続される外部機器のソフトウエアを修正することなく、第三世代の無線通信機で的確に回線交換方式とパケット交換方式を判断して接続できる無線通信機を提供することにある。
【課題を解決するための手段】
【０００７】
本発明は、上記課題を鑑みて為されたものであり、外部機器に接続してデータ通信を行う無線通信機であって、接続先名とダイヤル番号を対応付けたテーブルを有し、外部機器からダイヤル番号を受け取った場合には、テーブルに該当するダイヤル番号が有るか否かを判断し、該当するダイヤル番号がテーブルに有る場合には、ダイヤル番号に対応する接続先名に対して発信することを特徴とする。
【０００８】
更に本発明は、外部機器に接続され、無線基地局を介して接続先と外部機器のデータ通信を行う無線通信機であって、接続先名とダイヤル番号を対応付けたテーブルを有し、接続先から接続先名を受け取った場合には、テーブルに該当する接続先名が有るか否かを判断し、該当する接続先名がテーブルに有る場合には、接続先名に対応するダイヤル番号で着信したことを外部機器に通知することを特徴とする。
【発明の効果】
【０００９】
本発明の無線通信機は、外部機器に接続してデータ通信を行う無線通信機であって、接続先名とダイヤル番号を対応付けたテーブルを有し、外部機器からダイヤル番号を受け取った場合には、テーブルに該当するダイヤル番号が有るか否かを判断し、該当するダイヤル番号がテーブルに有る場合には、ダイヤル番号に対応する接続先名に対して発信することにより、第二世代の無線通信機から第三世代の無線通信機へ置き換えた場合に、無線通信機が接続される外部機器のソフトウエアを修正することなく、第三世代の無線通信機で的確に回線交換方式とパケット交換方式を判断して接続できる点である。
【００１０】
更に本発明の無線通信機は、外部機器に接続され、無線基地局を介して接続先と外部機器のデータ通信を行う無線通信機であって、接続先名とダイヤル番号を対応付けたテーブルを有し、接続先から接続先名を受け取った場合には、テーブルに該当する接続先名が有るか否かを判断し、該当する接続先名がテーブルに有る場合には、接続先名に対応するダイヤル番号で着信したことを外部機器に通知することにより、第二世代の無線通信機から第三世代の無線通信機へ置き換えた場合に、無線通信機が接続される外部機器のソフトウエアを修正することなく、第三世代の無線通信機で的確に回線交換方式とパケット交換方式を判断して接続できる点である。
【発明を実施するための最良の形態】
【００１１】
無線通信機が、接続先名とダイヤル番号が対応付けられたテーブルを参照して、対応付けられた接続先名とダイヤル番号を置き換えて通信処理することで実現した。
【実施例１】
【００１２】
以下に本発明の実施の形態について図を用いて一実施例を説明する。
図１は本発明の無線通信機の構成を示すブロック図の一実施例である。
無線通信機は、制御部（１０１）を有し、制御部（１０１）には、記憶部（１０２）、表示部（１０３）、操作部（１０４）、入出力部（１０５）、送信部（１０６）、受信部（１０７）と接続されている。アンテナ（１０８）は、送信部（１０６）及び受信部（１０７）と接続されており、図には明示していないが無線基地局への送信及び無線基地局からの受信を行う。外部機器は、無線通信機を部分的に制御する制御部（１１１）を有し、記憶部（１１２）、操作部（１１３）、表示部（１１４）、入出力部（１１５）と接続されている。無線通信機の入出力部（１０５）と外部機器の入出力部（１１５）は接続されており、それぞれの入出力部を経由して無線通信機の情報やデータ通信が行われる。
なお、図１ではＲＳ−２３２Ｃで接続しているが、ＵＳＢ（Ｕｎｉｖｅｒｓａｌ  Ｓｅｒｉａｌ  Ｂｕｓ）や他のインターフェース手段を用いることでも構わない。
【００１３】
図２は本発明のシステム構成を示す一実施例である。
図中の外部機器（２０１）及び無線通信機（２０２）は、図１で示したものと同じものである。無線基地局（２０３）は無線通信機（２０２）と無線で通信を行う基地局であり、
交換機またはルータ等のデータ交換を行う機器（２０４）を介して、接続先（２０５）であるサーバと接続されている。接続先（２０５）であるサーバは、外部機器（２０１）と対向する機器となる。
【００１４】
図３はＡＰＮ―ダイヤル番号変換テーブルの一実施例である。
３ＧＰＰの規格では、ＡＰＮが登録されたｃｉｄ番号用いてパケット発信を行う。例えば、“ａｐｎ２．ｃｏ．ｊｐ”に接続する場合は、“ＡＴＤ＊９９＊＊＊２＃”とダイヤルすることで接続される。しかしながら本無線通信機では、ダイヤル番号でのパケット交換発信を行うため、“ＡＴＤ０１１２２２３３３３” と発信された場合でもＡＰＮ−ダイヤル番号変換テーブルから該当するＡＰＮとｃｉｄを求め、“ａｐｎ２．ｃｏ．ｊｐ”に接続を行うためのテーブルである。
【００１５】
図４は、無線通信機が外部機器より発信する指示を受けた際の処理フローの一実施例である。
Ｓ４０１は外部機器からの発信指示を受け取る処理である。この処理はＡＴコマンドによる発信（ＡＴＤ）によって行われる。Ｓ４０２では、外部機器より受け取ったＡＴコマンドによる発信のダイヤル番号がＡＰＮ−ダイヤル番号変換テーブルに存在するかどうかを確認する。その結果、ＡＰＮ−ダイヤル番号変換テーブルに存在する場合は、Ｓ４０３でＡＰＮ−ダイヤル番号変換テーブルから一致したダイヤル番号に該当するｃｉｄを取得する。その後、Ｓ４０４では、Ｓ４０３で取得したｃｉｄを使用してパケット交換発信を行う。これ以降の処理は通常のパケット交換発信の処理と変わらない。
また、Ｓ４０２でＡＰＮ−ダイヤル番号変換テーブルに該当するダイヤル番号が存在しなかった場合は、この発信は回線交換による発信と認識し、Ｓ４０５でダイヤル番号の発信を行う。ただし、パケット交換発信のみしかできない無線通信機ではＳ４０５以降が無い場合もある。なお、本処理は電話番号による発信（ＡＴＤ）に関して記述したが、リダイヤル（ＡＴＤＮ，ＡＴＤＬ）や短縮番号発信（ＡＴＤＮｘ）でも同様の処理が可能なことは明白である。
【００１６】
図５は、無線通信機がパケット交換着信を受けた際の処理フローの一実施例である。
Ｓ５０１はパケット交換着信処理中のデータからＡＰＮに関するデータを取得する処理である。ここで取得したＡＰＮを用いてＳ５０２でＡＰＮ−ダイヤル番号変換テーブルに該当するＡＰＮが存在するかどうか確認する。該当するＡＰＮが存在する場合は、Ｓ５０３で発ＩＤにＡＰＮ−ダイヤル番号変換テーブルから取得したダイヤル番号をセットする。
その後、無線通信機の設定が“ＣＡＬＬＩＮＧ−ＩＤ”を出力する設定になっている場合は、Ｓ５０４で“ＣＡＬＬＩＮＧ−ＩＤ”を電話番号で出力する。その後は通常の着信処理を継続する。
また、Ｓ５０２でＡＰＮ−ダイヤル番号変換テーブルに該当するＡＰＮが存在しない場合は、そのまま処理を終了し、通常の着信処理を継続する。
なお、パケット交換着信処理の場合は“ＣＡＬＬＩＮＧ−ＩＤ”を例に処理フローを示したが、“ＣＡＬＬＩＮＧ−ＩＤ”以外に電話番号が出力される部分においても本処理が同じ処理で行えることは明白である。
【００１７】
尚、実施例を述べたが、ＡＰＮ−ダイヤル番号変換テーブルの登録には、様々な方法が考えられるが、ひとつはＡＴコマンドを拡張し、ｃｉｄとＡＰＮを登録する際に同時に電話番号を登録する方法があるが、ここでは詳細を記載しない。
【図面の簡単な説明】
【００１８】
【図１】本発明の無線通信機の構成を示すブロック図の一実施例
【図２】本発明のシステム構成を示す一実施例
【図３】ＡＰＮ―ダイヤル番号変換テーブルの一実施例
【図４】発信時の処理フローの一実施例
【図５】着信時の処理フローの一実施例
【符号の説明】
【００１９】
１０１…制御部、１０２…記憶部、１０３…表示部、１０４…操作部、１０５…入出力部、１０６…送信部、１０７…受信部、１０８…アンテナ、１１１…制御部、１１２…記憶部、１１３…操作部、１１４…表示部、１１５…入出力部、２０１…外部機器、２０２…無線通信機、２０３…無線基地局、２０４…データ交換機器、２０５…接続先（サーバ）
【図１】
2006222491.tif 000003
【図２】
2006222491.tif 000004
【図３】
2006222491.tif 000005
【図４】
2006222491.tif 000006
【図５】
2006222491.tif 000007